(57)【要約】      （修正有）【課題】竹刀の少なくとも先革部およびちくとう部の双方の太さが規格に適合するか否かを正確かつ簡単に検査することと保管や運搬を容易に行うことができる竹刀検査具を提供する。【解決手段】竹刀１００の剣先１０２が接触する剣先接触板２と、竹刀の先革部１０５が載せられて先革部１０５の直径が規格に適合するかを計測する第１計測溝を設けた第１検査板３と、竹刀のちくとう部１０１が載せられてちくとう部１０１の直径が規格に適合するかを計測する第２計測溝を設けた第２検査板４と、剣先接触板２、第１検査板３および第２検査板４が剣先接触板２の位置を基準にして所定の間隔Ｅ１，Ｅ２をあけた各検査位置にそれぞれ取り付けられる検査台５と、竹刀の柄部１０６が載せられる柄支え板６と、竹刀の柄頭１０３が接触する柄頭接触板７と、柄支え板６および柄頭接触板７が間隔をあけた各位置にそれぞれ取り付けられる柄載せ台８を備える。【選択図】図４
0003223741.tif 000002
【実用新案登録請求の範囲】
【請求項１】
竹刀の剣先が接触する剣先接触板と、竹刀の先革部が載せられて前記先革部の直径が規格に適合するかを計測する第１計測溝を設けた第１検査板と、竹刀のちくとう部が載せられて前記ちくとう部の直径が規格に適合するかを計測する第２計測溝を設けた第２検査板と、前記剣先接触板、第１検査板および第２検査板が当該剣先接触板の位置を基準にして所定の間隔をあけた各検査位置にそれぞれ取り付けられる検査台と、
竹刀の柄部が載せられる柄支え板と、竹刀の柄頭が接触する柄頭接触板と、前記柄支え板および柄頭接触板が間隔をあけた各位置にそれぞれ取り付けられる柄載せ台と
を備えることを特徴とする竹刀検査具。
【請求項２】
前記検査台に、前記剣先接触板、第１検査板および第２検査板をそれぞれ着脱可能に取り付ける第１、第２および第３の取付け部が設けられている請求項１に記載の竹刀検査具。
【請求項３】
前記柄載せ台に、前記柄支え板および柄頭接触板をそれぞれ着脱可能に取り付ける第４および第５の取付け部が設けられている請求項２に記載の竹刀検査具。
【請求項４】
前記第１、第２および第３の取付け部は、前記剣先接触板、第１検査板および第２検査板の各一部をそれぞれ挿し込んで支持する溝で構成されている請求項２に記載の竹刀検査具。
【請求項５】
前記第４および第５の取付け部は、前記柄支え板および柄頭接触板の各一部をそれぞれ挿し込んで支持する溝で構成されている請求項３に記載の竹刀検査具。
【請求項６】
前記第２および第３の取付け部は、前記検査台の両端部に至るまで横断して貫通する直線状の溝で構成されている請求項４に記載の竹刀検査具。
【請求項７】
前記第１計測溝と前記第２計測溝は、前記第１検査板と前記第２検査板にそれぞれ同種又は異種のものどうしで複数設けられている請求項１乃至６のいずれかに記載の竹刀検査具。
【請求項８】
前記第１計測溝と前記第２計測溝は、それぞれ互いに異なる３種類のものとして設けられている請求項７に記載の竹刀検査具。
【請求項９】
前記第１計測溝および第２計測溝は、規格の最小直径に相当する幅で切り欠かれた切り欠き溝であって、その切り欠き溝の上端角部が面取りされた形状で構成されている請求項１乃至８のいずれかに記載の竹刀検査具。
【請求項１０】
前記検査台に、竹刀の先革部の長さが規格に適合するかを計測する表示が設けられている請求項１乃至９のいずれかに記載の竹刀検査具。
【考案の詳細な説明】
【技術分野】
【０００１】  この考案は、剣道の竹刀の太さ等が例えば全日本剣道連盟の剣道試合・審判規則第３条および同細則第２条第２項の表１、表２で規定する規格に適合するか否かを検査するときに使用する竹刀検査具に関するものである。
【背景技術】
【０００２】  従来、竹刀の太さが規格に適合するか否かを検査する検査具としては、例えば下記特許文献１，２に記載されたものが知られている。【０００３】  特許文献１には、板体に面の横ひごの間隔以上の寸法からなる通孔を穿設した竹刀用ゲージが記載されている。
この竹刀用ゲージは、その通孔を竹刀の先端部に当てがうようにして使用される。この場合、竹刀の先端部が通孔を通過したときには、その竹刀が不適格なものであると判別するようになっている。【０００４】  特許文献２には、竹刀の各部の長さ及び／又は太さのうち２箇所以上の長さ及び／又は太さを各区分毎に決められた基準と比較する切り欠きからなる複数のゲージを１枚の長方形の板状部材に設け、その板状部材の縦又は横の長さの少なくとも一方が竹刀の各部の規定された値の１つと同じ長さに設定された竹刀用ゲージが記載されている。
この竹刀用ゲージは、例えば、先端部の太さ計測用切り欠き（ゲージ部分）を竹刀の先端部に当てるように使用される。この場合、竹刀の先端部が切り欠き内に収まるときには、その竹刀を不正な竹刀として判別するようになっている。【０００５】  また従来においては、例えば下記非特許文献に、竹刀の全長、その先革の長さおよび幅を測る検査具としての竹刀ゲージが販売されていることが示されている。
【先行技術文献】
【特許文献】
【０００６】
【特許文献１】実開平０６−０１９７６６号公報
【特許文献２】実用新案登録第３０６３３１５号公報
【非特許文献】
【非特許文献】竹刀ゲージの販売、販売店：廣栄武道具、［令和１年６月１７日検索］、インターネット＜ＵＲＬ：ｈｔｔｐ：／／ｗｗｗ．ｋｏｅｉ−ｂｕｄｏｇｕ．ｃｏ．ｊｐ／ｃａｔｅｇｏｒｙ／ｃｏｍｍｏｄｉｔｙ／ｋｅｎｄｏ／ｓｈｉｎａｉ＿ｆｕｚｏｋｕｈｉｎ／０２．ｈｔｍｌ＞
【考案の開示】
【考案が解決しようとする課題】
【０００７】  一方、近年、上記剣道試合・審判規則に関する改正が行われた。この改正（改正後の上記剣道試合・審判規則の第３条および同細則第２条第２項の表１、表２）によると、竹刀の太さに関する基準として、先革部（先革先端部）の最小直径に関する既存の規格に、竹刀のちくとう部の折損等の防止のためちくとう部の最小直径に関する規格が新たに加えられた。
しかしながら、従来の検査具は、竹刀の先革部の太さを検査することができたものの、新たな規格の対象である竹刀のちくとう部の太さを検査することができなかった。
また、上記販売されている検査具にあっては、例えば竹刀の全長よりも長い寸法からなる台が存在するので、仮にその台の部分を折り畳むことが可能であったとしても、その保管や運搬のときに嵩張って取り扱いにくいという難点があった。【０００８】  この考案は、上述したような実情に鑑みてなされたものであり、竹刀の少なくとも先革部およびちくとう部の双方の太さが規格に適合するか否かを正確かつ簡単に検査することができるとともに、保管や運搬を容易に行うことができる竹刀検査具を提供するものである。
【課題を解決するための手段】
【０００９】  この考案（Ａ１）の竹刀検査具は、竹刀の剣先が接触する剣先接触板と、竹刀の先革部が載せられて前記先革部の直径が規格に適合するかを計測する第１計測溝を設けた第１検査板と、竹刀のちくとう部が載せられて前記ちくとう部の直径が規格に適合するかを計測する第２計測溝を設けた第２検査板と、前記剣先接触板、第１検査板および第２検査板が当該剣先接触板の位置を基準にして所定の間隔をあけた各検査位置にそれぞれ取り付けられる検査台と、竹刀の柄部が載せられる柄支え板と、竹刀の柄頭が接触する柄頭接触板と、前記柄支え板および柄頭接触板が間隔をあけた各位置にそれぞれ取り付けられる柄載せ台とを備えることを特徴とするものである。【００１０】  また、この考案（Ａ２）の竹刀検査具は、上記考案Ａ１の竹刀検査具において、前記検査台に、前記剣先接触板、第１検査板および第２検査板をそれぞれ着脱可能に取り付ける第１、第２および第３の取付け部が設けられているものである。
この場合の竹刀検査具は、使用しないときに剣先接触板、第１検査板および第２検査板を検査台の第１、第２および第３の取付け部からそれぞれ取り外して嵩張りの少ない状態にしておくことができるので、検査台を含む部分を保管や運搬が一層行いやすくなる。【００１１】  この考案（Ａ３）の竹刀検査具は、上記考案Ａ２の竹刀検査具において、前記柄載せ台に、前記柄支え板および柄頭接触板をそれぞれ着脱可能に取り付ける第４および第５の取付け部が設けられているものである。
この場合の竹刀検査具は、使用しないときに柄支え板および柄頭接触板を柄載せ台の第４および第５の取付け部からそれぞれ取り外して嵩張りの少ない状態にしておくことができるので、柄載せ台を含む部分の保管や運搬が一層行いやすくなる。特にこの場合の竹刀検査具は、その全体を嵩張りの少ない状態で保管することや運搬することができる。【００１２】  この考案（Ａ４）の竹刀検査具は、上記考案Ａ２の竹刀検査具において、前記第１、第２および第３の取付け部が、前記剣先接触板、第１検査板および第２検査板の各一部をそれぞれ挿し込んで支持する溝で構成されているものである。
この場合の竹刀検査具は、第１、第２および第３の取付け部を検査台から突出する部分がない形態で設けることができ、また、その検査台を含む部分の保管や運搬を行うときに第１、第２および第３の取付け部が嵩張るおそれがなく取り扱いやすくなる。【００１３】  この考案（Ａ５）の竹刀検査具は、上記考案Ａ３の竹刀検査具において、前記第４および第５の取付け部が、前記柄支え板および柄頭接触板の各一部をそれぞれ挿し込んで支持する溝で構成されているものである。
この場合の竹刀検査具は、第４および第５の取付け部を柄載せ台から突出する部分がない形態で設けることができ、また、その柄載せ台を含む部分の保管や運搬を行うときに第４および第５の取付け部が嵩張るおそれがなく取り扱いやすくなる。特にこの場合の竹刀検査具は、その全体をより一層嵩張りの少ない状態で保管することや運搬することができる。【００１４】  この考案（Ａ６）の竹刀検査具は、上記考案Ａ４の竹刀検査具において、前記第２および第３の取付け部が、前記検査台の両端部に至るまで横断して貫通する直線状の溝で構成されているものである。
この場合の竹刀検査具は、第１検査板と第２検査板を第２の取付け部の溝と第３の取付け部の溝に挿し込んで溝に沿ってスライドさせることで位置の調整を行うことができ、特にその各検査板の一部を検査台の両端部からはみ出させた状態になるまで互いにずらした位置関係になるよう調整することも可能になる。これにより、第１検査板と第２検査板の双方を検査台に取り付けた状態のままで、検査対象の計測溝のある検査板を所要の検査位置にスライドさせる一方で検査対象でない計測溝のある検査板を検査の邪魔にならない位置に退避させるようスライドさせるという位置の調整が可能になり、この結果、同種の竹刀の少なくとも先革部およびちくとう部の双方の規格に適合する太さかの検査を連続して効率よく行うことができる。【００１５】  この考案（Ａ７）の竹刀検査具は、上記考案Ａ１からＡ６のいずれかの竹刀検査具において、前記第１計測溝と前記第２計測溝が、前記第１検査板と前記第２検査板にそれぞれ同種又は異種のものどうしで複数設けられているものである。また、この考案（Ａ８）の竹刀検査具は、上記考案Ａ７の竹刀検査具において、前記第１計測溝と前記第２計測溝が、それぞれ互いに異なる３種類のものとして設けられているものになる。
この場合の竹刀検査具は、複数本の竹刀の先革部およびちくとう部の太さを同時に効率よく検査することができる。また、第１計測溝と第２計測溝として異種のものを複数設けた場合の竹刀検査具にあっては、互いに種別が異なる竹刀の先革部およびちくとう部の太さを第１検査板における異種の第１計測溝と第２検査板における異種の第２計測溝を使い分けることで効率よく検査することができる。【００１６】  この考案（Ａ９）の竹刀検査具は、上記考案Ａ１からＡ８のいずれかの竹刀検査具において、前記第１計測溝および第２計測溝が、規格の最小直径に相当する幅で切り欠かれた切り欠き溝であって、その切り欠き溝の上端角部が面取りされた形状で構成されているものである。
この場合の竹刀検査具は、竹刀が第１計測溝の上端角部や第２計測溝の上端角部に引っ掛かった状態にならず、検査を安定して正確に行うことができる。【００１７】  この考案（Ａ１０）の竹刀検査具は、上記考案Ａ１からＡ９のいずれかの竹刀検査具において、前記検査台に、竹刀の先革部の長さが規格に適合するかを計測する表示が設けられているものである。
この場合の竹刀検査具は、竹刀の先革部およびちくとう部の双方の太さが規格に適合するかの検査に加えて、竹刀の先革部の長さが規格に適合するかの検査も同時かつ容易に行うことができる。
【考案の効果】
【００１８】  上記考案Ａ１の竹刀検査具によれば、検査台に剣先接触板と第１検査板および第２検査板の一方ずつを取り付けた部分と柄載せ台に柄支え板および柄頭接触板を取り付けた部分とに竹刀を載せることで、竹刀の少なくとも先革部およびちくとう部の双方の太さが規格に適合するかを竹刀の自重を利用して正確かつ簡単に検査することができる。
また、考案Ａ１の竹刀検査具によれば、検査台に剣先接触板、第１検査板および第２検査板を取り付けた部分と柄載せ台に柄支え板および柄頭接触板を取り付けた部分とに分割されていて竹刀の全長よりも短い寸法からなる構造物にすることが可能になるので、その保管や運搬を容易に行うこともできる。
【図面の簡単な説明】
【００１９】
【図１】  （Ａ）は実施形態に係る竹刀検査具を示す側面図、（Ｂ）は（Ａ）の竹刀検査具を示す上面図である。
【図２】  （Ａ）は竹刀検査具を分解したときの一部分を示す側面図、（Ｂ）は（Ａ）の竹刀検査具の残り部分の状態を示す側面図である。
【図３】  竹刀検査具を分解したときの構成部品を平面上に並べて置いた状態を示す平面図である。
【図４】  （Ａ）は竹刀検査具の一使用例における前半段階の状態を示す側面図、（Ｂ）は（Ａ）の一使用例における後半段階の状態を示す側面図である。
【図５】  （Ａ）は図４（Ａ）の一使用例における前半段階の状態を示す上面図、（Ｂ）は図４（Ｂ）の一使用例における後半段階の状態を示す上面図である。
【図６】  Ａ）は竹刀検査具の他の使用例における前半段階の状態を示す側面図、（Ｂ）は（Ａ）の他の使用例における後半段階の状態を示す側面図である。
【図７】  （Ａ）は図６（Ａ）の他の使用例における前半段階の状態を示す上面図、（Ｂ）は図６（Ｂ）の一使用例における後半段階の状態を示す上面図である。
【図８】  （Ａ）は竹刀における先革部（太さおよび長さ）の規格の直径を示す説明図、（Ｂ）は竹刀におけるちくとう部の規格の直径を示す説明図である。
【考案を実施するための形態】
【００２０】  以下、この考案の実施形態について図面を参照しながら説明する。
【００２１】  図１から図３は、実施形態に係る竹刀検査具１を示している。図１はその竹刀検査具１をその側面および上面の側から見たときの状態をそれぞれ示し、図２はその竹刀検査具１を分解したときの状態を部分ごとに分けて示し、図３はその竹刀検査具１を分解したときの各構成部品を平面上に並べて置いた状態を示している。
【００２２】  この実施形態に係る竹刀検査具１は、図１や図８に示されるように、竹刀１００の先革部１０５およびちくとう部１０１の各太さが規格の寸法Ｄ１，Ｄ２に適合するか否かを検査するものである。
ここで、規格とは、例えば全日本剣道連盟が定めている上記剣道試合・審判規則および細則における竹刀に関する規格である。また、先革部１０５は、ちくとう部１０１のうち先革が装着されている部分をいう。さらに、ちくとう部１０１は、４つの割り竹で構成された竹刀の本体部分であり、図４等に示されるように先革部１０５や柄部１０６で覆われておらず露出した部分をいう。柄部１０６は、ちくとう部１０１のうち柄革が装着されている部分をいう。
【００２３】  そして、この竹刀検査具１は、図１に示されるように、剣先接触板２と、先革部１０５の直径が規格に適合するかを計測して検査する第１検査板３と、ちくとう部１０１の直径が規格に適合するかを計測して検査する第２検査板４と、剣先接触板２、第１検査板３および第２検査板４が取り付けられる検査台５と、柄支え板６と、柄頭接触板７と、柄支え板６および柄頭接触板７が取り付けられる柄載せ台８とを備えている。
【００２４】  このうち上記剣先接触板２は、図４や図５に示されるように、検査の際に竹刀１００の剣先１０２を接触させて制止させるための板材である。この実施形態における剣先接触板２は、図３に示されるように、平面形状が所要の幅Ｗ２および高さＨ１の長方形状からなる所要の厚さの平板で構成されている。この剣先接触板２の厚さは、例えば第１検査板３および第２検査板４の厚さよりも厚くなる寸法に設定されている。また、使用時の上端となる両側の角部は、アール形状等の面取りされた形状になっている。
【００２５】  上記第１検査板３は、図４から図８（Ａ）に示されるように、検査の際に竹刀１００の先革部１０５が載せられ、その先革部１０５の規定された計測位置（先革先端部）Ｐ１における直径が規格の寸法Ｄ１に適合するか否かを計測するための第１計測溝３２が設けられた板材である。
第１計測溝３２で計測する先革先端部における直径とは、図８（Ａ）に示されるように、剣先１０２から所定の距離Ｅ１の計測位置Ｐ１における直径Ｄ１である。上記剣道試合・審判規則では、先革部１０５における規格の直径について、剣先から１．５ｃｍの距離の計測位置Ｐ１で計測される最小直径（対辺直径）Ｄ１であると規定しており、また性別や年代別等の違いに対応して異なる値として規定されている。
【００２６】  この実施形態における第１検査板３は、図３に示されるように、平面形状が所要の幅Ｗ３および高さＨ４の長方形状からなる所要の厚さの基材となる平板に第１計測溝３２を設けることで構成されている。平板からなる基材の４つの角部は、アール形状等の面取りされた形状になっている。
また、この第１検査板３は、第１計測溝３２として３つの第１計測溝３２Ａ，３２Ｂ，３２Ｃが設けられている。このうち２つの第１計測溝３２Ａ，３２Ｂは、基材の平板における片方の長辺部に間隔をあけて設けられている。残り１つの第１計測溝３２Ｃは、基材の平板における他方の長辺部に設けられている。
【００２７】  ３つの第１計測溝３２Ａ，３２Ｂ，３２Ｃはいずれも、図３に示されるように、先革部１０５の規格の最小直径Ｄ１に相当する幅Ｄ１ａ，Ｄ１ｂ，Ｄ１ｃで切り欠かれた切り欠き溝であって、その各切り欠き溝の上端角部３３ａ，３３ｂが直線状又は曲線状に面取りされた形状で構成されている。
第１計測溝３２Ａ，３２Ｂ，３２Ｃの深さについては、その各幅Ｄ１ａ，Ｄ１ｂ，Ｄ１ｃよりも少なくとも大きい値に設定される。また、第１計測溝３２Ａ，３２Ｂ，３２Ｃの幅Ｄ１ａ，Ｄ１ｂ，Ｄ１ｃについては、そのすべてが互いに異なる異種の寸法であるか、あるいは、そのすべてが互いに同じ同種の寸法であるか、あるいは、横並ぶ２つの溝の幅が互いに同じ同種の寸法で残りの溝の幅がそれらと異なる寸法に設定することができる。
【００２８】  この実施形態では、３つの第１計測溝３２Ａ，３２Ｂ，３２Ｃにおける幅Ｄ１ａ，Ｄ１ｂ，Ｄ１ｃのすべてが互いに異なる異種の寸法に設定されている。具体的には、上記剣道試合・審判規則に規定される規格に対応させるため、第１計測溝３２Ａの幅Ｄ１ａを「２４ｍｍ」、第１計測溝３２Ｂの幅Ｄ１ｂを「２５ｍｍ」、第１計測溝３２Ｃの幅Ｄ１ｃを「２６ｍｍ」にそれぞれ設定している。つまり、この実施形態における第１検査板３は、互いに異なる３種類の溝幅からなる第１計測溝３２Ａ，３２Ｂ，３２Ｃを設けた検査板として構成されている。
【００２９】  上記第２検査板４は、図４から図８（Ｂ）に示されるように、検査の際に竹刀１００のちくとう部１０１が載せられ、そのちくとう部１０１の規定された計測位置Ｐ２における直径が規格の寸法Ｄ２に適合するか否かを計測するための第２計測溝４２が設けられた板材である。
第２計測溝４２で計測するちくとう部１０１の計測位置Ｐ２における直径とは、図８（Ｂ）に示されるように、剣先１０２から所定の距離Ｅ２の計測位置Ｐ２における直径Ｄ２である。上記剣道試合・審判規則では、ちくとう部１０１における規格の直径について、剣先から８．０ｃｍの距離の計測位置Ｐ２で計測される最小直径（ちくとう対角直径）Ｄ２であると規定しており、また性別や年代別等の違いに対応して異なる値として規定されている。図８（Ｂ）における符号１０１ａ，１０１ｂ，１０１ｃ，１０１ｄは、ちくとう部１０１を構成する４つの割り竹を示す。
【００３０】  この実施形態における第２検査板４は、図３に示されるように、平面形状が所要の幅Ｗ４および高さＨ４の長方形状からなる所要の厚さの基材となる平板に第２計測溝４２を設けることで構成されている。平板からなる基材の４つの角部は、アール形状等の面取りされた形状になっている。
また、この第２検査板４は、第２計測溝４２として３つ第２計測溝４２Ａ，４２Ｂ，４２Ｃが設けられている。２つの第２計測溝４２Ａ，４２Ｂは、基材の平板における片方の長辺部に間隔をあけて設けられている。残り１つの第２計測溝４２Ｃは、基材の平板における他方の長辺部に設けられている。
【００３１】  ３つの第２計測溝４２Ａ，４２Ｂ，４２Ｃはいずれも、図３に示されるように、ちくとう部１０１の規格の最小直径Ｄ１に相当する幅Ｄ２ａ，Ｄ２ｂ，Ｄ２ｃで切り欠かれた切り欠き溝であって、その各切り欠き溝の上端角部４３ａ，４３ｂが直線状又は曲線状に面取りされた形状で構成されている。
第２計測溝４２Ａ，４２Ｂ，４２Ｃの深さについては、その各幅Ｄ２ａ，Ｄ２ｂ，Ｄ２ｃよりも少なくとも大きい値に設定される。また、第２計測溝４２Ａ，４２Ｂ，４２Ｃの幅Ｄ２ａ，Ｄ２ｂ，Ｄ２ｃについては、そのすべてが互いに異なる異種の寸法であるか、あるいは、そのすべてが互いに同じ同種の寸法であるか、あるいは、横並ぶ２つの溝の幅が互いに同じ同種の寸法で残りの溝の幅がそれらと異なる寸法に設定することができる。
【００３２】  この実施形態では、第２計測溝４２Ａ，４２Ｂ，４２Ｃについては、第１計測溝３２Ａ，３２Ｂ，３２Ｃの場合と同様に、その各幅Ｄ２ａ，Ｄ２ｂ，Ｄ２ｃのすべてが互いに異なる異種の寸法に設定されている。具体的には、上記剣道試合・審判規則に規定される規格に対応させるため、第２計測溝４２Ａの幅Ｄ２ａを「２０ｍｍ」、第２計測溝４２Ｂの幅Ｄ２ｂを「１９ｍｍ」、第２計測溝４２Ｃの幅Ｄ２ｃを「２１ｍｍ」にそれぞれ設定されている。つまり、この実施形態における第２検査板４は、互いに異なる３種類の溝幅からなる第２計測溝４２Ａ，４２Ｂ，４２Ｃを設けた検査板として構成されている。
【００３３】  なお、この異種の第２計測溝４２Ａ，４２Ｂ，４２Ｃについては、同じ検査対象の竹刀１００の先革部１０５およびちくとう部１０１の各太さを効率よく計測して検査することを可能にする観点から、第１検査板３における３つの第１計測溝３２Ａ，３２Ｂ，３２Ｃとそれぞれ対応する種類のものを採用して、しかも対応する同じ位置関係になるよう設けることが好ましい。
【００３４】  上記検査台５は、図１から図３に示されるように、剣先接触板２、第１検査板３および第２検査板４が剣先接触板２の位置を基準にして所定の間隔Ｅ１，Ｅ２をあけた各検査位置にそれぞれ取り付けられる支持材である。また、この検査台５は、厚板状の基材５１に、剣先接触板２、第１検査板３および第２検査板４をそれぞれ着脱可能に取り付けるための第１、第２および第３の取付け部５２，５３，５４が設けられている。間隔Ｅ１，Ｅ２は、上記剣先１０２からの距離にそれぞれ相当する。
【００３５】  この実施形態における検査台５は、図２や図３に示されるように、平面形状が所要の幅Ｗ１および長さＬ１の長方形状からなりかつ所要の厚さＴ１からなる厚板状の基材５１に、第１、第２および第３の取付け部５２，５３，５４を設けることで構成されている。
【００３６】  第１、第２および第３の取付け部５２，５３，５４は、図１に示されるように、剣先接触板２、第１検査板３および第２検査板４の各一部となる長辺部をそれぞれ挿し込んで支持する溝で構成されている。この各取付け部５２，５３，５４の溝は、基材５１をその表面側において両端部に至るまで横断して貫通するよう直線状に延びた形状からなる溝であり、剣先接触板２、第１検査板３および第２検査板４の各厚さとほぼ同じ幅でかつ所要の深さで形成されている。
第１検査板３を取り付ける第２の取付け部５３は、図３等に示されるように、剣先接触板２を取り付ける第１の取付け部５２から間隔Ｅ１をあけた位置に形成される。また、第２検査板４を取り付ける第３の取付け部５４は、第１の取付け部５２から間隔Ｅ２をあけた位置に形成される。
【００３７】  また、実施形態における検査台５は、図１から図３等に示されるように、竹刀１００の先革部１０５の長さ、すなわち先革の長さが規格に適合するかを計測するための表示９も設けられている。
【００３８】  先革部１０５の長さが規格とは、図８（Ａ）に示されるように、剣先１０２から先革のの内側端部１０５ｂまでの長さである。上記剣道試合・審判規則では、先革部１０５の長さについて、剣先から５．０ｃｍ以上の長さが必要であると規定している。
この実施形態における表示９は、図３に示されるように、剣先接触板２の内側面から規格の最小長さに相当する５．０ｃｍだけ離れた位置（換言すれば計測位置Ｐ３：図４）に、剣先接触板２の内側面と平行して直線状に延びる浅い溝として設けられている。表示９は、溝で構成されたものに限定されず、表示９が検査時に先革部１０５の最少長さの位置として視認されやすいものであればよく、例えば印刷や塗布した直線や直線状に延びるよう形成される筋状の突起で構成されたものであってもよい。
【００３９】  上記柄支え板６は、図４や図５に示されるように、検査の際に竹刀１００の柄部１０６を載せておく板材である。この実施形態における柄支え板６は、図３に示されるように、平面形状が所要の幅Ｗ２および高さＨ３の長方形状からなる所要の厚さの平板で構成されている。この柄支え板６の厚さは、例えば剣先接触板２の厚さと同じ寸法に設定されている。また、使用時の上端となる両側の角部は、アール形状等の面取りされた形状になっている。
【００４０】  上記柄頭接触板７は、図４や図５に示されるように、検査の際に竹刀１００の柄頭１０３を接触させて制止させるための板材である。この実施形態における柄頭接触板７は、剣先接触板２の場合と同様に、図３に示されるように、平面形状が所要の幅Ｗ２および高さＨ１の長方形状からなる所要の厚さの平板で構成されている。この柄頭接触板７の厚さは、例えば剣先接触板２の厚さと同じ寸法に設定されている。また、使用時の上端となる両側の角部は、剣先接触板２の場合と同様に、アール形状等の面取りされた形状になっている。
【００４１】  上記柄載せ台８は、図１から図３に示されるように、柄支え板６および柄頭接触板７が所要の間隔Ｅ８をあけた各位置にそれぞれ取り付けられる支持材である。また、この柄載せ台８は、厚板状の基材８１に、柄支え板６および柄頭接触板７をそれぞれ着脱可能に取り付けるための第４および第５の取付け部８２，８３が設けられている。
この実施形態における柄載せ台８は、図２や図３に示されるように、平面形状が所要の幅Ｗ１および長さＬ２の長方形状からなりかつ所要の厚さＴ２からなる厚板状の基材８１に、第４および第５の取付け部８２，８３を設けることで構成されている。
【００４２】  第４および第５の取付け部８２，８３は、図１に示されるように、柄支え板６および柄頭接触板７の各一部となる長辺部をそれぞれ挿し込んで支持する溝で構成されている。この各取付け部８２，８３の溝は、基材８１をその表面側で横断して貫通するよう直線状に延びる形状の溝であり、柄支え板６および柄頭接触板７の各厚さとほぼ同じ幅でかつ所要の深さで形成されている。第４および第５の取付け部８２，８３は、上記間隔Ｅ８をあけて設けられている。間隔Ｅ８については、任意に設定される。
【００４３】  次に、竹刀検査具１の使用方法について説明する。
【００４４】  まず、竹刀検査具１は、図４や図５に示されるように、第１検査板３と第２検査板４の双方を検査台５に取り付けた状態で検査を行うことができる。図４等における符号１５は、竹刀検査具１を設置して使用するときの設置面を示す。
【００４５】  この場合、最初に剣先接触板２が、その下端になる長辺部を検査台５における第１の取付け部５２の溝に挿し込むことで取り付けられる。
続いて、第１検査板３と第２検査板４が、検査すべき先革部１０５の太さを計測するための第１計測溝３２（３つの第１計測溝３２Ａ，３２Ｂ，３２Ｃのいずれか）やちくとう部１０１の太さを計測するための第２計測溝４２（３つの第２計測溝４２Ａ，４２Ｂ，４２Ｃのいずれか）が存在する一方の長辺部を上にして、その他方の長辺部を検査台５における第２の取付け部５３の溝と第３の取付け部５４の溝にそれぞれ挿し込むことで取り付けられる。
【００４６】  ここでは、大学生・一般の男性が試合に使用する種類の竹刀１００の先革部１０５およびちくとう部１０１の太さを検査する場合を想定したうえで、例えば第１検査板３における第１計測溝３２Ｃ（２６ｍｍ）を適用して先革部１０５の太さの検査と第２検査板４における第２計測溝４２Ｃ（２１ｍｍ）を適用してちくとう部１０１の太さの検査を連続して行う場合を例示する。
このように剣先接触板２、第１検査板３および第２検査板４を取り付けた状態にある検査台５は、竹刀検査具１における検査部１２（図２（Ａ））を構成することになる。
図４においては、便宜上、検査に実際に使用されている側の第１検査板３又は第２検査板４を、その各計測溝３２Ｃ、４２Ｃをそれぞれ通過する部分の断面で描いている。また図４においては、便宜上、検査に実際に使用されておらず退避した位置にある側の第２検査板４又は第１検査板３を二点鎖線で描いている。この図４の便宜上の図示は、図６においても同様に行っている。
【００４７】  また、竹刀検査具１は、検査を行う前に、図４（Ａ）および図５（Ａ）に示されるように、柄載せ台８に柄支え板６および柄頭接触板７を取り付ける。
【００４８】  この際、柄支え板６と柄頭接触板７は、その下端になる各長辺部を、柄載せ台８における第４および第５の取付け部８２，８３の溝にそれぞれ挿し込むことで取り付けられる。またこの際、柄支え板６および柄頭接触板７を取り付けた柄載せ台８は、剣先接触板２、第１検査板３および第２検査板４を取り付けた検査台５からなる検査部１２に対して適当な間隔をあけた位置に配置する。
このように柄支え板６および柄頭接触板７を取り付けた状態にある柄載せ台８は、竹刀検査具１における補助部１３（図２（Ｂ））を構成することになる。
【００４９】  続いて、竹刀検査具１は、竹刀１００の先革部１０５の太さを検査するための態勢にする。
すなわち、このときは、図５（Ａ）に示されるように検査に使用される第１検査板３の全体を検査台５の幅Ｗ１の全域におさまる検査位置に配置する一方で、このときの検査に使用されない第２検査板４を検査対象の竹刀１００に接触しない退避位置に存在させるよう第３の取付け部５４の溝内でスライドさせて配置させた状態にする。
これにより、このときの第２検査板４は、図５（Ａ）に示されるように、その一部が第３の取付け部５４の溝により支持されるが、その残りの一部が検査台５の幅Ｗ１の片側端部から飛び出した状態に一時的におかれる。
【００５０】  この調整が完了した段階で、竹刀検査具１は、図４（Ａ）等に示されるように竹刀１００の先革部１０５の太さについて検査するための態勢が整えられる。また、この竹刀検査具１の場合は、この段階で竹刀１００の先革部１０５の長さについても同時に検査できる態勢になる。
【００５１】  続いて、この竹刀検査具１における第１検査板３と柄支え板６の上に、図４（Ａ）や図５（Ａ）に示されるように、検査対象になる竹刀１００を鍔と鍔止めを取り外した状態で載せる。
図４等における符号１０７は弦、符合１０８は中結を示す。図５（Ａ）において竹刀１００は、弦１０７と中結１０８の結び目が横を向いた状態で載せられているように描かれているが、実際の検査では弦１０７と中結１０８の結び目が図４（Ａ）に示されるように上を向いた状態で載せられる。この先革部１０５の太さに関する検査において竹刀１００の載せるときの状態については、図７（Ａ）に示す検査時においても同様である。
【００５２】  この際、竹刀１００は、その剣先１０２を剣先接触板２に接触させた状態で、その先革部１０５を第１検査板３における第１計測溝３２Ｃの上に載せるとともに、その柄頭１０３を柄頭接触板７に接触させた状態で、その柄部１０６を柄支え板６の上端になる長辺部に載せる。またこの際、第２検査板４は、検査台５に取り付けられているが、上記したように退避位置に移動させられた状態になっているので、検査対象の竹刀１００には接触しない状態におかれる。
このときの柄支え板６および柄頭接触板７を取り付けた柄載せ台８（補助部１３）は、例えば、柄支え板６の上に竹刀１００の柄部１０６を載せた状態で、上記検査部１２に接近させるように移動させ、竹刀１００の柄頭１０３が柄頭接触板７に接触したところで停止させればよい。
【００５３】  これにより、竹刀１００は、竹刀検査具１における第１検査板３と柄支え板６の上に自重で載った状態になる。
このときの竹刀１００は、図４（Ａ）に示されるように、第１検査板３と柄支え板６とに支えられて、設置面１５とほぼ平行な状態、換言すればほぼ水平になる状態になるよう載せられている。これは、例えば、検査台５に取り付けた第１検査板３における上端部（厳密には第１計測溝３２Ｃの内側に少し嵌り込んだ位置）の設置面１５からの高さと柄載せ台８に取り付けた柄支え板６の設置面１５からの高さとがほぼ同じ値になるよう設計することで実現できる。
【００５４】  そしてこの場合、竹刀１００の先革部１０５が第１検査板３における第１計測溝３２Ｃの上で停止して留まったときは、その先革部１０５の太さが規格の最小直径Ｄ１ｃ（例えば２６ｍｍ）を越える寸法であることになるから、その竹刀１００は先革部１０５の太さに関する例えば大学生・一般の男性の竹刀１００に課せられる規格を満たすものとして判断される。
一方、竹刀１００の先革部１０５が自重で第１検査板３における第１計測溝３２Ｃの内部に嵌って落ち込んだ状態になったときは、その先革部１０５の太さが規格の最小直径Ｄ１ｃよりも小さい寸法であることになるから、その竹刀１００は先革部１０５の太さに関する規格を満たさないものとして判断される。
【００５５】  このときの検査では、第１検査板３における第１計測溝３２Ｃの上端の角部３３ａ，３３ｂが面取りされた形状になっているので、その第１計測溝３２Ｃの上に載せた先革部１０５が第１計測溝３２Ｃの上端の角部３３ａ，３３ｂで引っ掛かった状態になることがなく、その検査を安定して正確に行うことができる。
【００５６】  またこのときの検査では、検査台５にある表示９を基準にした計測位置Ｐ３で竹刀１００の先革部１０５を上方から観察することにより、先革部１０５における先革の内側端部１０５ｂが表示９に対してどのような位置に存在しているかを確認することができる。
【００５７】  この場合、先革の内側端部１０５ｂが表示９と同じ位置か又はそれよりも剣先１０２から離れた遠い位置にあるときには、先革部１０５における先革の長さが剣先１０２からの最小距離Ｅ３よりも長い寸法であることになるから、その竹刀１００は先革部１０５の長さに関する規格を満たすものとして判断される。
一方、先革の内側端部１０５ｂが表示９よりも剣先１０２に近い位置にあるときには、先革部１０５における先革の長さが剣先１０２からの最小距離Ｅ３よりも短い寸法であることになるから、その竹刀１００は先革部１０５の長さに関する規格を満たさないものとして判断される。
【００５８】  続いて、竹刀検査具１は、竹刀１００のちくとう部１０１の太さを検査するための態勢にする。
すなわち、このときは、図５（Ｂ）に示されるように検査に使用される第２検査板４の全体を検査台５の幅Ｗ１の全域におさまる検査位置に第３の取付け部５４の溝内で戻すようにスライドさせて配置する一方で、このときの検査に使用されない第１検査板３を検査対象の竹刀１００に接触しない退避位置に存在させるよう第２の取付け部５３の溝内でスライドさせて配置させた状態にする。
これにより、このときの第１検査板３は、図５（Ｂ）に示されるように、その一部が第２の取付け部５３の溝によって支持されるが、その残りの一部が検査台５の幅Ｗ１の片側端部から飛び出した状態に一時的におかれる。
またこのときの第１検査板３と第２検査板４の位置調整は、例えば、載せた状態にある竹刀１００の先革部１０５の側を少し手で持ち上げた状態にすることで簡単に行うことができる。
【００５９】  この調整が完了した段階で、竹刀検査具１は、図４（Ｂ）等に示されるように竹刀１００のちくとう部１０１の太さについて検査するための態勢が整えられる。
この際、検査対象になる竹刀１００は、第２検査板４と柄支え板６の上に載せられた状態になっている。また図５（Ｂ）において竹刀１００は、弦１０７と中結１０８の結び目が横を向いた状態で載せられているように描かれているが、実際の検査では弦１０７と中結１０８の結び目が斜め上を向いた姿勢で載せられる。このちくとう部１０１の太さに関する検査において竹刀１００の載せるときの状態については、図７（Ｂ）に示す検査時においても同様である。
【００６０】  これにより、竹刀１００は、竹刀検査具１における第２検査板４と柄支え板６の上に自重で載った状態になる。
このときの竹刀１００は、図４（Ｂ）に示されるように、第２検査板４と柄支え板６とに支えられて、設置面１５とほぼ平行な状態、換言すればほぼ水平になる状態になるよう載せられている。これは、例えば、検査台５に取り付けた第２検査板４における上端部（厳密には第２計測溝４２Ｃの内側に少し嵌り込んだ位置）の設置面１５からの高さと柄載せ台８に取り付けた柄支え板６の設置面１５からの高さとがほぼ同じ値になるよう設計することで実現できる。
【００６１】  そしてこの場合、竹刀１００のちくとう部１０１が第２検査板４における第２計測溝４２Ｃの上で停止して留まったときは、そのちくとう部１０１の太さが規格の最小直径Ｄ２ｃ（例えば２１ｍｍ）を越える寸法であることになるから、その竹刀１００はちくとう部１０１の太さに関する例えば大学生・一般の男性の竹刀１００に課せられる規格を満たすものとして判断される。
一方、竹刀１００のちくとう部１０１が自重で第２計測溝４２Ｃの内部に嵌って落ち込んだ状態になったときは、そのちくとう部１０１の太さが規格の最小直径Ｄ２ｃよりも小さい寸法であることになるから、その竹刀１００はちくとう部１０１の太さに関する規格を満たさないものとして判断される。
【００６２】  このときの検査でも、第２検査板４における第２計測溝４２Ｃの上端の角部４３ａ，４３ｂが面取りされた形状になっているので、その第２計測溝４２Ｃの上に載せたちくとう部１０１が第２計測溝４２Ｃの上端の角部４３ａ，４３ｂで引っ掛かった状態になることがなく、その検査を安定して正確に行うことができる。
【００６３】  以上説明したように竹刀検査具１によれば、検査台５に剣先接触板２、第１検査板３および第２検査板４を取り付けた状態の検査部１２の部分と柄載せ台８に柄支え板６および柄頭接触板７を取り付けた状態の補助部１３の部分とに、第１検査板３と第２検査板４の位置調整をした後に竹刀１００を載せることで、竹刀１００の少なくとも先革部１０５およびちくとう部１０１の双方の太さが規格にそれぞれ適合するかを竹刀１００の自重を利用して正確かつ簡単に検査することができる。
また、この竹刀検査具１では、検査台５に表示９が設けられているので、この検査の際に竹刀１００の先革部１０５の長さが規格に適合するかについても同時かつ容易に検査することができる。
【００６４】  また、この竹刀検査具１は、検査台５に剣先接触板２、第１検査板３および第２検査板４を取り付けた検査部１２の部分と柄載せ台８に柄支え板６および柄頭接触板７を取り付けた補助部１３の部分とに分割されていて竹刀１００の全長Ｌｘ（図４（Ａ））よりも短い寸法からなる構造物にすることが可能になるので、その保管や運搬を嵩張ることなく容易に行うこともできる。上記短い寸法とは、例えば、中学生用の最小長さの竹刀１００を例にした場合でも、その全長Ｌｘ（規格：１１４ｃｍ）に対して１／１０以下の寸法が該当する。
【００６５】  さらに、この竹刀検査具１によれば、使用しないときに剣先接触板２、第１検査板３および第２検査板４を検査台５からそれぞれ取り外すことと柄支え板６および柄頭接触板７を柄載せ台８からそれぞれ取り外すことができ、全体として嵩張りの少ない状態にしておくことができるので、その保管や運搬をするときに嵩張りが少なく取り扱いやすくなる。この竹刀検査具１は、例えば、検査台５と柄載せ台８を重ね、その上に剣先接触板２、第１検査板３、第２検査板４、柄支え板６および柄頭接触板７を適当な順番で重ねた状態で保管したりあるいは運搬することができる。
【００６６】  また、竹刀検査具１によれば、第１から第５の取付け部５２，５３，５４，８２，８３が溝で構成されているので、検査台５や柄載せ台８から突出する部分がなく、また、竹刀検査具１全体を保管するときや運搬するときに取付け部５２，５３，５４，８２，８３が嵩張るおそれがなく取り扱いやすくなる。
【００６７】  ちなみに、この竹刀検査具１においては、第１検査板３と第２検査板４をアルミニウム又はその合金、ステンレス等の金属材料を用いて製作している。これにより、各検査板３，４全体の変形や第１計測溝３２と第２計測溝４２の変形を抑制することができ、正確な検査を継続して行うことができる。
また、この竹刀検査具１においては、剣先接触板２、検査台５、柄支え板６、柄頭接触板７および柄載せ台８について金属材料を用いて製作することがなく、例えばポリプロピレン等の合成樹脂を用いて製作することが可能である。この場合は、竹刀検査具１全体を軽量化することが可能になり、その保管や運搬等における作業性を向上させることができる。
【００６８】  また、この竹刀検査具１では、第１検査板３がその一方の長辺部に異種の第１計測溝３２Ａ，３２Ｂを２つ設けており、また第２検査板４がその一方の長辺部に異種の第２計測溝４２Ａ，４２Ｂを２つ設けているので、その各計測溝３２Ａ，３２Ｂ，４２Ａ，４２Ｂを適宜組み合わせた検査を行うことも可能である。
【００６９】  図６（Ａ）と図７（Ａ）は、第１検査板３における第１計測溝３２Ａ（例えば最小直径Ｄ１ａが２４ｍｍ）を用いた竹刀１００の先革部１０５の太さの検査を行うときの状態を例示している。
このときの検査でも、第１検査板３と第２検査板４の双方を検査台５に取り付けた状態にして検査を行うことが可能であるが、検査に使用しない第２検査板４については図７（Ａ）に例示するように竹刀１００に接触しない退避位置に一時的に移動させられた状態にされる。またこの際、検査台５にある表示９を用いて竹刀１００の先革部１０５の長さの検査も併せて行うことができる。
【００７０】  また図６（Ｂ）と図７（Ｂ）は、上記検査に続けて、第２検査板４における第２計測溝４２Ｂ（例えば最小直径Ｄ２ａが１９ｍｍ）を用いた竹刀１００の先革部１０５の太さの検査を行うときの状態を例示している。
このときの検査でも、第１検査板３と第２検査板４の双方を検査台５に取り付けた状態にして検査を行うことが可能であるが、検査に使用しない第１検査板３については図７（Ｂ）に例示するように竹刀１００に接触しない退避位置に一時的に移動させられた状態にされる。
【００７１】  なお、竹刀検査具１は、第１検査板３としてその一方又は両方の長辺部に同種の第１計測溝３２を２つ設けた検査板を用意し、第２検査板４としてその一方又は両方の長辺部に第１計測溝３２による検査と対応する竹刀１００のちくとう部１０１の検査に適用できる同種の第２計測溝４２を２つ設けた検査板を用意することも可能である。
【００７２】  この場合の竹刀検査具１によれば、図７に二点鎖線で追加して例示するように、性別や年代別等の条件が同じ検査対象の２本の竹刀１００における先革部１０５およびちくとう部１０１の各太さの検査を２本の竹刀１００を並べた状態で同時に行うこともでき、効率のよい検査が可能になる。
ただしこの場合、２本の竹刀１００における先革部１０５の太さの検査と２本の竹刀１００におけるちくとう部１０１の太さの検査を行うときは、検査台５に第１検査板３と第２検査板を同時に取り付けておく余裕がなければ、その一方ずつを各検査に合わせて交互に取り付けて各検査を行うことになる。
【００７３】  また、この竹刀検査具１は、先革部１０５およびちくとう部１０１の各太さについて上記例示した３種類の規格（Ｄ１ａ，Ｄ１ｂ，Ｄ１ｃの３種類とＤ２ａ，Ｄ２ｂ，Ｄ２ｃの３種類）以外に４種類目以上の規格の検査をする必要がある場合には、その４種類目以上の規格の検査が可能な数の第１計測溝３２や第２計測溝４２を設けた第１検査板３や第２検査板４を追加して用意すればよい。
【００７４】  また、この竹刀検査具１は、検査台５および柄載せ台８の幅Ｗ１と、剣先接触板２、柄支え板６および柄頭接触板７の幅Ｗ２と、第１検査板３および第２検査板４の幅Ｗ３，Ｗ４とをほぼ同じ寸法に設定しているが、必要であれば、第１検査板３および第２検査板４の幅Ｗ３，Ｗ４を基準にして異なる寸法に設定しても構わない。
また、検査台５の厚さＴ１と柄載せ台８の厚さＴ２については、ほぼ同じ寸法に設定しているが、異なる寸法に設定してもよい。さらに、検査台５の平面における長さＬ１と柄載せ台８の平面における長さＬ２については、必要最低限の寸法に可能な限り近い値に設定するとよい。
【００７５】  この他、竹刀検査具１は、竹刀１００の先革部１０５の太さの検査と竹刀１００のちくとう部１０１の太さの検査を、上記した例とは逆の順番で行うように使用することもできる。すなわち、先にちくとう部１０１の太さの検査を行い、しかる後に先革部１０５の太さの検査を行うように使用してもよい。
【００７６】  また、竹刀検査具１は、必要であれば、第１検査板３および第２検査板４を除いて剣先接触板２のみを検査台５に固定して取り付けるように構成することや、柄支え板６および柄頭接触板７を柄載せ台８に固定して取り付けるように構成することや、その双方の構成を採用することも可能である。
このような構成を採用した竹刀検査具１では、剣先接触板２が固定されて突出している分だけ検査台５が嵩張ることや、柄支え板６および柄頭接触板７が固定されて突出している分だけ柄載せ台８が嵩張ることがある。しかし、この場合の竹刀検査具１でも、検査台５および柄載せ台８の各寸法（特に図３に示す長さＬ１，Ｌ２）を竹刀１００の全長Ｌｘ（図４（Ａ））に比べて前述したようにきわめて短い寸法に設定することが可能であるため、上記嵩張りも気にならない程度に保管や運搬を容易に行うことができる。
【００７７】  また、竹刀検査具１は、検査台５に表示９を設けることを省略しても構わない。
【００７８】  さらに、竹刀検査具１は、検査の際に、竹刀１００の剣先１０２を接触させた剣先接触板２と竹刀１００の柄頭１０３を接触させた柄頭接触板７との間の距離を物差し等の測定具を利用して測定することができる。この場合は、竹刀１００の先革部１０５およびちくとう部１０１の太さ等の検査を行う際に、図４（Ａ）や図６（Ａ）に例示するように竹刀１００の全長Ｌｘを確認することができる。
【符号の説明】
【００７９】１  …竹刀検査具
２  …剣先接触板
３  …第１検査板
４  …第２検査板
５  …検査台
６  …柄支え板
７  …柄頭接触板
８  …柄載せ台
９  …表示
３２…第１計測溝
４２…第２計測溝
【図１】
0003223741.tif 000003
【図２】
0003223741.tif 000004
【図３】
0003223741.tif 000005
【図４】
0003223741.tif 000006
【図５】
0003223741.tif 000007
【図６】
0003223741.tif 000008
【図７】
0003223741.tif 000009
【図８】
0003223741.tif 000010